(57)【要約】【課題】有線接続を行うことなくレーダ装置の探知結果を表示可能であって、取付け時の作業性にも優れたレーダアンテナを提供する。【解決手段】レーダアンテナ１は、放射部２３と、信号処理部２５と、無線ＬＡＮアンテナ２６と、レーダドームと、を備える。レーダドームは、前後方向の向きを有する。信号処理部２５は、電磁波を送受信する放射部２３で受信した受信信号に信号処理を行い、レーダドームの内部に設けられる。無線ＬＡＮアンテナ２６は、水平方向の感度の強い方向とレーダドームの前後方向の向きとが合致するようにレーダドームの内部に固定され、信号処理部２５で処理された受信信号を表示装置及びスマートフォン等に送信する。【選択図】図３
2015145848.tif 000002
【特許請求の範囲】
【請求項１】
前後方向の向きを有するケースと、
電磁波を送受信する放射部で受信した受信信号に信号処理を行う、前記ケース内に設けられた信号処理部と、
水平方向の感度の強い方向と前記ケースの前後方向の向きとが一致するように前記ケース内に固定され、前記信号処理部で処理された受信信号を外部端末に送信する無線ＬＡＮアンテナと、
を備えることを特徴とするレーダアンテナ。
【請求項２】
請求項１に記載のレーダアンテナであって、
前記無線ＬＡＮアンテナがモノポールアンテナ又はダイポールアンテナであり、モノポールアンテナ又はダイポールアンテナを構成する棒状アンテナ素子が前記ケースの前後方向の向きと直交するように前記ケース内に固定されていることを特徴とするレーダアンテナ。
【請求項３】
請求項１又は２に記載のレーダアンテナであって、
前記ケースは、前後方向を示す位置決めマークを有することを特徴とするレーダアンテナ。
【請求項４】
請求項１から３までの何れか一項に記載のレーダアンテナであって、
前記放射部が前記ケース内に配置されていることを特徴とするレーダアンテナ。
【請求項５】
請求項１から４までの何れか一項に記載のレーダアンテナであって、
前記無線ＬＡＮアンテナの上方に反射部が配置されることを特徴とするレーダアンテナ。
【請求項６】
請求項１から５までの何れか一項に記載のレーダアンテナであって、
前記ケースの内側に配置された金属製ケースを備え、
前記無線ＬＡＮアンテナは、前記金属製ケースの外側に配置され、
前記金属製ケースの内側には、前記信号処理部が配置されることを特徴とするレーダアンテナ。
【請求項７】
請求項６に記載のレーダアンテナであって、
前記金属製ケースの下端部であって、前記無線ＬＡＮアンテナの近傍の部分には、凹み部が形成されていることを特徴とするレーダアンテナ。
【請求項８】
請求項６又は７に記載のレーダアンテナであって、
送信信号を生成する、前記ケース内に設けられた発振素子を備え、
前記発振素子は、前記金属製ケースを挟んで前記無線ＬＡＮアンテナの反対側に配置されることを特徴とするレーダアンテナ。
【請求項９】
請求項１から８までの何れか一項に記載のレーダアンテナであって、
前記無線ＬＡＮアンテナは、前記ケースの底面に固定されていることを特徴とするレーダアンテナ。
【請求項１０】
請求項１から９までの何れか一項に記載のレーダアンテナであって、
前記ケースは、レーダアンテナを取り付ける対象物の向きと、前記ケースの前後方向の向きとを一致させる取付部を有することを特徴とするレーダアンテナ。
【請求項１１】
請求項１０に記載のレーダアンテナであって、
前記無線ＬＡＮアンテナは、前記取付部よりも前方の前記ケースの底面に固定されていることを特徴とするレーダアンテナ。
【請求項１２】
請求項１０又は１１に記載のレーダアンテナであって、
レーダアンテナを取り付ける対象物は、移動体であることを特徴とするレーダアンテナ。
【発明の詳細な説明】
【技術分野】
【０００１】
本発明は、レーダアンテナに関する。
【背景技術】
【０００２】
従来から、特許文献１及び特許文献２に示すように、空中線ユニットと、指示器ユニットと、を備えたレーダ装置が知られている。空中線ユニットは、回転しながら電波を送信するアンテナ部（放射部）を備える。空中線ユニットと指示器ユニットとは、電線で接続されている。アンテナ部が受信した電波は、この電線を介して、指示器ユニットへ出力される。
【０００３】
指示器ユニットは、演算装置と表示装置とを備えている。演算装置は、受信した電波に所定の信号処理を行うことで、レーダ映像を生成する。表示装置は、演算装置が生成したレーダ映像を表示する。
【０００４】
なお、一般的な構成では、レーダアンテナとＧＰＳアンテナは別個に船舶に取り付けられているが、特許文献１及び特許文献２のレーダ装置では、レーダ装置の空中線ユニットにＧＰＳアンテナを取り付ける技術が開示されている。これにより、コンパクトな構成が実現できる。
【先行技術文献】
【特許文献】
【０００５】
【特許文献１】特開平４−１２５４８３号公報
【特許文献２】特開２００３−８４０５９号公報
【発明の概要】
【発明が解決しようとする課題】
【０００６】
ところで、特許文献１及び特許文献２では、空中線ユニットと指示器ユニットとが有線で接続されている。そのため、持ち運び可能な表示装置を備える場合であっても、持ち運びできる範囲が制限されてしまうとともに、表示装置の取り回しが繁雑になる。また、複数の表示装置にレーダ映像を表示する場合、配線の設置作業が煩雑になる。
【０００７】
この種の課題は、船舶用のレーダ装置に限られず、他の移動体に設置されるレーダ装置及び建物に配置されるレーダ装置であっても同様である。
【０００８】
なお、特許文献１及び特許文献２では、ＧＰＳアンテナを空中線ユニット内に配置する技術が開示されているが、これは、従来から船舶の上方に配置されているＧＰＳアンテナを空中線ユニット内に配置したものである。従って、従来から船舶の上方に配置されていないその他のアンテナを空中線ユニット内に配置する点については、開示も示唆もされていない。
【０００９】
本発明は以上の事情に鑑みてされたものであり、その主要な目的は、有線接続を行うことなくレーダ装置の探知結果を表示可能であって、取付け時の作業性にも優れたレーダアンテナを提供することにある。
【課題を解決するための手段及び効果】
【００１０】
本発明の解決しようとする課題は以上の如くであり、次にこの課題を解決するための手段とその効果を説明する。
【００１１】
本発明の観点によれば、以下の構成のレーダアンテナが提供される。即ち、このレーダアンテナは、ケースと、信号処理部と、無線ＬＡＮアンテナと、を備える。前記ケースは、前後方向の向きを有する。前記信号処理部は、電磁波を送受信する放射部で受信した受信信号に信号処理を行い、前記ケース内に設けられる。前記無線ＬＡＮアンテナは、水平方向の感度の強い方向と前記ケースの前後方向の向きとが一致するように前記ケース内に固定され、前記信号処理部で処理された受信信号を外部端末に送信する。
【００１２】
これにより、レーダアンテナが無線で探知結果を送信するため、配線接続を行うことなく、レーダアンテナの周囲の表示装置に探知結果を表示することができる。特に、レーダアンテナは通常は上方に配置されるので、無線ＬＡＮの電波が障害物等で遮られにくいため、電波を効率的に送信することができる。また、ケースに無線ＬＡＮアンテナが固定されているので、ケースを移動体等に取り付けるだけで無線ＬＡＮアンテナの位置決めを行うことができる。また、前後方向の向きと無線ＬＡＮアンテナの水平方向の感度の強い方向とが一致しているので、例えば前後方向に細長い物体（船、航空機等）にレーダアンテナが取り付けられる場合に、必要十分な無線ＬＡＮの通信範囲を実現できる。
【００１３】
前記のレーダアンテナにおいては、前記無線ＬＡＮアンテナがモノポールアンテナ又はダイポールアンテナであり、モノポールアンテナ又はダイポールアンテナを構成する棒状アンテナ素子が前記ケースの前後方向の向きと直交するように前記ケース内に固定されていることが好ましい。
【００１４】
モノポールアンテナ及びダイポールアンテナは、ホーンアンテナ又はマイクロストリップと比較して、比較的広い指向性を有する。従って、例えば持ち歩き可能な携帯情報端末に対しても、レーダアンテナが取得したデータを送信することができる。
【００１５】
前記のレーダアンテナにおいては、前記ケースは、前後方向を示す位置決めマークを有することが好ましい。
【００１６】
これにより、ユーザは、ケースの向き（レーダアンテナの向き）を確認し易いので、レーダアンテナの取付けを容易に行うことができる。
【００１７】
前記のレーダアンテナにおいては、前記放射部が前記ケース内に配置されていることが好ましい。
【００１８】
これにより、放射部を保護することができる。また、レーダアンテナの主要な部品がケースに取り付けられているので、ケースを取り付けるだけでそれらの部品の位置決めを行うことができる。
【００１９】
前記のレーダアンテナにおいては、前記無線ＬＡＮアンテナの上方に反射部が配置されることが好ましい。
【００２０】
これにより、レーダアンテナは移動体の上部に配置され、上方に電波を送信する必要がないので、反射部を用いることで、下方へ送信する電波の質及び強度を向上させることができる。
【００２１】
前記のレーダアンテナにおいては、以下の構成とすることが好ましい。即ち、このレーダアンテナは、前記ケースの内側に配置された金属製ケースを備える。前記無線ＬＡＮアンテナは、前記金属製ケースの外側に配置される。前記金属製ケースの内側には、前記信号処理部が配置される。
【００２２】
これにより、無線ＬＡＮの電波が金属製ケースに遮られることを防止できるとともに、信号処理部が他の電波の影響を受けることを防止できる。
【００２３】
前記のレーダアンテナにおいては、前記金属製ケースの下端部であって、前記無線ＬＡＮアンテナの近傍の部分には、凹み部が形成されていることが好ましい。
【００２４】
これにより、無線ＬＡＮアンテナの電波が金属製ケースに遮られにくくなるので、無線ＬＡＮの通信範囲を広げることができる。
【００２５】
前記のレーダアンテナにおいては、以下の構成とすることが好ましい。即ち、このレーダアンテナは、送信信号を生成する、前記ケース内に設けられた発振素子を備える。前記発振素子は、前記金属製ケースを挟んで前記無線ＬＡＮアンテナの反対側に配置される。
【００２６】
これにより、発振素子の周囲に発生した電磁波を金属製ケースによって遮蔽できるので、当該電磁波の影響を無線ＬＡＮアンテナが受けることを防止できる。
【００２７】
前記のレーダアンテナにおいては、前記無線ＬＡＮアンテナは、前記ケースの底面に固定されていることが好ましい。
【００２８】
通常、レーダアンテナは高い位置に設置されるので、上記のようにケースの底面に無線ＬＡＮアンテナを固定することで、無線ＬＡＮの電波がレーダアンテナの他の部材に遮蔽されることを防止できる。従って、レーダアンテナの下方に位置する外部端末との通信を安定させることができる。
【００２９】
前記のレーダアンテナにおいては、前記ケースは、レーダアンテナを取り付ける対象物の向きと、前記ケースの前後方向の向きとを一致させる取付部を有することが好ましい。
【００３０】
これにより、対象物の向きとケースの向きとを精度良く一致させることができるので、無線ＬＡＮアンテナの感度の強い方向と対象物の向きとを精度良く一致させることができる。従って、対象物の向きを的確に考慮した無線ＬＡＮの通信範囲が実現できる。
【００３１】
前記のレーダアンテナにおいては、前記無線ＬＡＮアンテナは、前記取付部よりも前方の前記ケースの底面に固定されていることが好ましい。
【００３２】
一般的にケースは金属製の取付台に取り付けられるので、取付部を避けて無線ＬＡＮアンテナを固定することで、無線ＬＡＮの電波が遮られることを防止できる。特に、取付部の前方に無線ＬＡＮアンテナを固定することで、取付台の後端に支持柱が設けられている場合において、無線ＬＡＮの電波が遮られることを防止できる。
【００３３】
前記のレーダアンテナにおいては、レーダアンテナを取り付ける対象物は、移動体であることが好ましい。
【００３４】
これにより、移動体は一般的には前後方向に細長い形状なので、移動体の形状と無線ＬＡＮアンテナの水平方向の感度の強い方向とを揃えることで、必要十分な無線ＬＡＮの通信範囲を実現できる。
【図面の簡単な説明】
【００３５】
【図１】本発明の一実施形態に係るレーダアンテナが取り付けられる様子を示す側面図及び平面図。
【図２】レーダアンテナの機能ブロック図。
【図３】上部ケースを外したときのレーダアンテナの平面図及び正面図。
【図４】レーダアンテナの外観及び金属ケースの凹み部を示す説明図。
【図５】無線ＬＡＮアンテナの指向性と船舶との位置関係を示す図。
【図６】無線ＬＡＮアンテナの電波を反射する反射部を有する変形例を示す図。
【図７】樹脂製ケースの外側に放射部が設けられる変形例を示す図。
【発明を実施するための形態】
【００３６】
次に、図面を参照して本発明の実施の形態を説明する。初めに、図１を参照して、本実施形態のレーダアンテナ１の概略を説明する。レーダアンテナ１は、船舶５０に搭載される。詳細には、船舶５０のキャビンの上方又はマスト等には、取付台５１が設けられている。取付台５１は、台座部５１ａと、支持柱５１ｂと、を備える。台座部５１ａには、レーダアンテナ１が取り付けられる。支持柱５１ｂは、台座部５１ａの後側から上下方向に延びる部材であり、台座部５１ａを支持する。
【００３７】
レーダアンテナ１は、送信信号（電波）を外部に送信するとともに、送信信号が物標等で反射した反射波を受信信号として受信する。レーダアンテナ１は、この受信信号を解析して、周囲の物標の位置を検出する（詳細な処理は後述）。レーダアンテナ１は、検出した周囲の物標の位置を無線ＬＡＮの電波を用いて周囲へ送信する。
【００３８】
船舶５０に乗っているユーザは、持ち運び可能な表示装置（外部端末）４１又はスマートフォン（外部端末）４２等を用いてこの電波を受信する。表示装置４１又はスマートフォン４２は、レーダアンテナ１の検出結果を図又は表等を用いて画面に表示する。
【００３９】
以下、レーダアンテナ１の詳細について図２から図４までを参照して説明する。本実施形態のレーダアンテナ１は、レーダドーム（ケース）１０を備える。レーダドーム１０は、樹脂製であり、下側ケース１１と、上側ケース１２と、から構成される。
【００４０】
下側ケース１１は、容器状であり、内側に多数の部品が取り付けられる。下側ケース１１には、取付孔（取付部）１３、ケーブル導入孔１４、及び位置決めマーク１５が形成されている。
【００４１】
取付孔１３は、下側ケース１１の底面の外側に４箇所形成されており、これらの孔にボルト等の取付具を用いることで、レーダドーム１０（レーダアンテナ１）が、取付台５１の台座部５１ａに取り付けられる。
【００４２】
ケーブル導入孔１４は、下側ケース１１の底面の中央よりも後側に形成された貫通孔であり、船舶の電源部と接続された電源ケーブル２７が通される。
【００４３】
図３（ｂ）に示す位置決めマーク１５は、レーダドーム１０の前後方向を示すマークである。なお、図３（ｂ）は、図３（ａ）のレーダアンテナ１を矢印方向から見た正面図である。本実施形態の位置決めマーク１５は、レーダドーム１０（レーダアンテナ１）の前部に形成されているが、横部又は後部等に形成されていても良い。
【００４４】
ユーザは、位置決めマーク１５を参照することでレーダドーム１０（レーダアンテナ１）の向きを把握し、レーダドーム１０（レーダアンテナ１）の前後方向と船舶５０の前後方向とが一致するようにレーダドーム１０を取付台５１に取り付ける。なお、本実施形態では、複数の取付孔１３が形成されているので、レーダドーム１０と（レーダアンテナ１）の前後方向と船舶５０の前後方向とを精度良く一致させることができる。このようにレーダアンテナ１が移動体に取り付けられる場合、移動体の前方向に該当する側がレーダドーム１０（レーダアンテナ１）の前方向に該当する。
【００４５】
上側ケース１２は、下側ケース１１と接続することで、内側空間を形成する。
【００４６】
次に、レーダドーム１０の内側に配置される機器について説明する。図２及び図３に示すように、レーダアンテナ１は、レーダドーム１０の内側に、駆動モータ２１と、回転軸２２と、放射部２３と、発振素子２４と、信号処理部２５と、無線ＬＡＮアンテナ２６と、を備える。
【００４７】
また、図３及び図４に示すように、下側ケース１１には、金属製ケース３０が取り付けられている。金属製ケース３０の内側には、駆動モータ２１及び信号処理部２５が配置されている。また、レーダドーム１０の内側に配置される機器には、上述の電源ケーブル２７によって電力が供給されている。
【００４８】
駆動モータ２１は、電源ケーブル２７から供給された電力を用いて駆動力を発生させる。駆動モータ２１の駆動力は、回転軸２２に伝達される。
【００４９】
回転軸２２は、駆動モータ２１の駆動力を受けて回転する。回転軸２２の上部には、放射部２３が固定されているので、放射部２３も回転軸２２と一体的に回転する。
【００５０】
放射部２３は、銅箔等が複数貼付された基板と、当該基板の上下に垂直に配置された板材と、で構成されたパッチアンテナである。放射部２３は、送信信号を外部に送信するとともに、当該送信信号が物標で反射した反射波を受信信号として受信する。放射部２３は、回転しながら送受信を行うので、周囲の物標を探知できる。なお、放射部２３は、パッチアンテナに限られず、ホーンアンテナ又はパラボラアンテナ等を用いることができる。
【００５１】
発振素子２４は、図略の制御部等の指示を受けて、放射部２３が送信する送信信号を生成する。発振素子２４は、金属製ケース３０よりも後側（船尾側）に配置されている。本実施形態はマグネトロンレーダなので、発振素子２４はマグネトロンである。なお、パルス圧縮レーダの場合、信号生成回路が発振回路に該当する。
【００５２】
信号処理部２５は、放射部２３が受信した受信信号に信号処理を行う。具体的には、信号処理部２５は、受信信号の増幅処理、フィルタ処理、及びデータ変換処理等を行う。データ変換処理とは、受信信号に基づいて、各エコーの代表点の位置を決定し、当該エコーの強度を求める処理である。
【００５３】
このようにデータ変換処理を行うことで、表示装置４１等に送信するデータ量を抑えることができるとともに、表示装置４１等が行う演算量を抑えることができる。なお、データ変換処理は必須ではなく、信号処理部２５が例えばフィルタ処理のみを行い、表示装置４１側で受信信号からレーダ映像を作成しても良い。また、レーダアンテナ１側でレーダ映像を作成し、当該レーダ映像を表示装置４１等へ送信しても良い。
【００５４】
無線ＬＡＮアンテナ２６は、ダイポールアンテナであり指向性を有している。無線ＬＡＮアンテナ２６は、下側ケース１１の底面の内側に取り付けられることで固定されている。本実施形態の無線ＬＡＮアンテナ２６は、ダイポールアンテナであり、導線方向（長手方向）と、レーダドーム１０の左右方向と、が一致するように（無線ＬＡＮアンテナ２６を構成する棒状のアンテナ素子と、レーダドーム１０の前後方向と、が直交するように）配置されている。無線ＬＡＮアンテナ２６は、信号処理部２５によって得られたデータを無線ＬＡＮの電波によって船内に出力する。
【００５５】
また、無線ＬＡＮアンテナ２６は、放射部２３の下方であって、４つの取付孔１３より前方（換言すれば台座部５１ａより前方）に固定されている。無線ＬＡＮアンテナ２６が放射部２３の下方に固定されることで、放射部２３が送信する電波の影響を受けることを防止できる。また、無線ＬＡＮアンテナ２６が取付孔１３の前方に固定されることで、無線ＬＡＮの電波が台座部５１ａ及び支持柱５１ｂに遮られることを防止できる。また、無線ＬＡＮアンテナ２６は、金属製ケース３０から少し距離を置いて、当該金属製ケース３０よりも前側（船首側）に配置されている。これにより、発振素子２４の周囲に発生した電磁波を金属製ケース３０によって遮蔽できるので、当該電磁波の影響を無線ＬＡＮアンテナ２６が受けることを防止できる。
【００５６】
金属製ケース３０は、金属製の箱状の部材であり、下側ケース１１の底面の内側に取り付けられている。金属製ケース３０は信号処理部２５を覆っているので、放射部２３及び無線ＬＡＮアンテナ２６が出力する電波が信号処理部２５に作用することを防止できる。
【００５７】
また、図４に示すように金属製ケース３０には、凹み部３１が形成されている。なお、図４（ｂ）は、図４（ａ）の金属製ケース３０の丸印を付した部分を矢印方向から見た斜視図である。凹み部３１は、金属製ケース３０の下端部であって、無線ＬＡＮアンテナ２６の近傍の部分に形成されている。これにより、無線ＬＡＮアンテナ２６の電波が金属製ケース３０に遮られにくくなるので、無線ＬＡＮの通信範囲を広げることができる。なお、図４（ｂ）に示すように、金属製ケース３０には、中央を挟んで左右に２つの凹み部３１が形成されているが、これらの２つの凹み部３１を繋げた形の凹み部３１が形成されていても良い。なお、無線ＬＡＮアンテナ２６の電波が遮られにくくなるのであれば、凹み部３１の形状は任意である。
【００５８】
以上の構成により、レーダアンテナ１の探知結果を無線ＬＡＮの電波を用いて送信できるので、レーダアンテナ１と表示装置４１等との配線接続を行うことなく、レーダアンテナの探知結果を４１等に表示できる。この構成は、レーダアンテナの探知結果を表示する外部端末が複数ある場合、又は、外部端末が携帯端末である場合に特に有効な効果を発揮できる。
【００５９】
次に、無線ＬＡＮアンテナ２６の感度の強い方向と、レーダアンテナ１及び船舶５０の向きと、の関係について図５を参照して説明する。なお、本実施形態で指向性とは、電波が出力されるときに方向によって電波強度が異なることを示す。
【００６０】
上述のように無線ＬＡＮアンテナ２６は、ダイポールアンテナなので指向性を有している。ダイポールアンテナの指向性は公知なので詳細な説明は省略するが、無線ＬＡＮアンテナ２６を中心としたドーナツ状の指向性を有している。従って、船舶５０を左右方向から見た場合の指向性は図５（ａ）に示すようになる。また、船舶５０を上方から（無線ＬＡＮアンテナ２６の高さから）見た場合の指向性は図５（ｂ）に示すようになる。
【００６１】
上述のように、無線ＬＡＮアンテナ２６は、導線方向と、レーダドーム１０の前後方向と、が直交するように配置されている。更にレーダドーム１０を取付孔１３により取り付けることで、レーダドーム１０の前後方向と、船舶５０の前後方向と、を一致させることができる。従って、レーダドーム１０を取付台５１に取り付けるだけで、無線ＬＡＮアンテナ２６の向きを、感度の強い方向を考慮した適切な向きにすることができる。従って、無線ＬＡＮアンテナ２６の位置調整が不要なので、取付作業が簡単になる。
【００６２】
また、無線ＬＡＮアンテナ２６の向きが上記のように定められることで、以下の効果を発揮できる。即ち、無線ＬＡＮアンテナ２６の感度の強い方向は、前後方向及び上下方向である。また、船舶５０の形状は、前後方向に細長いので、船舶５０内を無線ＬＡＮの通信範囲で覆うためには、無線ＬＡＮアンテナ２６の感度の強い方向に左右方向が含まれている必要はない。従って、ダイポールアンテナである無線ＬＡＮアンテナ２６を本実施形態のように配置することで、必要十分な無線ＬＡＮの通信範囲を実現することができる。更に、左右方向の感度が弱いことで、港での停泊時に左右の船に設置された無線通信機器との混信やレーダ装置との干渉を防ぐことができる。
【００６３】
次に、上記実施形態の第１変形例を説明する。図６は、無線ＬＡＮアンテナ２６の電波を反射する反射部３２を有する変形例である。反射部３２は、金属製ケース３０の底面を凹ませた部分のうち無線ＬＡＮアンテナ２６の上方に位置する面である。
【００６４】
図５（ａ）に示したように、無線ＬＡＮアンテナ２６の感度の強い方向には、上方向が含まれる。しかし、船舶５０での通信においては、無線ＬＡＮアンテナ２６の下方向と通信が行うことができれば十分なので、上方向へ電波を送信する必要はない。
【００６５】
この点を考慮して、第１変形例では、電波を反射可能な反射部３２を無線ＬＡＮアンテナ２６の上方向に設けることで、下方へ送信する電波の質及び強度を向上させることができる。更に本実施形態では、金属製ケース３０の一部を反射部３２として利用することで、レーダアンテナ１をコンパクトにすることができる。なお、金属製ケース３０とは別の部材を用いて反射部を構成しても良い。
【００６６】
次に、第２変形例を説明する。図７は、樹脂製ケース（ケース）１８の外側に放射部２３が設けられる変形例を示す図である。上記実施形態では、ケースとしてのレーダドーム１０が他の機器を全て覆う構成であるが、第２変形例では、樹脂製ケース１８は、金属製ケース３０及び無線ＬＡＮアンテナ２６を覆い、放射部２３を覆っていない。
【００６７】
しかし、この第２変形例であっても、「樹脂製ケース１８を取付台５１に取り付けるだけで無線ＬＡＮアンテナ２６の位置決めができるという効果」を発揮できる。つまり、少なくともケースに無線ＬＡＮアンテナが配置されていれば本発明の効果を発揮することができる。
【００６８】
以上に説明したように、レーダアンテナ１は、レーダドーム１０（樹脂製ケース１８）と、信号処理部２５と、無線ＬＡＮアンテナ２６と、を備える。レーダドーム１０等は、前後方向の向きを有する。信号処理部２５は、電磁波を送受信する放射部２３で受信した受信信号に信号処理を行い、レーダドーム１０等の内部に設けられる。無線ＬＡＮアンテナ２６は、水平方向の感度の強い方向とレーダドーム１０等の前後方向の向きとが合致するようにレーダドーム１０等の内部に固定され、信号処理部２５で処理された受信信号を表示装置４１及びスマートフォン４２に送信する。
【００６９】
これにより、レーダアンテナ１が無線で探知結果を送信するため、配線接続を行うことなく、レーダアンテナ１の周囲の表示装置４１等に探知結果を表示することができる。特に、レーダアンテナ１は船舶の上方に配置されるので、無線ＬＡＮの電波が障害物等で遮られにくいため、電波を効率的に送信することができる。また、レーダドーム１０に無線ＬＡＮアンテナ２６が固定されているので、レーダドーム１０の取付孔１３を利用してレーダアンテナ１を取付台５１に取り付けるだけで無線ＬＡＮアンテナ２６の位置決めを行うことができるので、取付作業を簡単にすることができる。また、前後方向の向きと無線ＬＡＮアンテナ２６の水平方向の感度の強い方向とが一致しているので、レーダアンテナ１が船舶に取り付けられる場合に必要十分な無線ＬＡＮの通信範囲を実現できる。
【００７０】
以上に本発明の好適な実施の形態及び変形例を説明したが、上記の構成は例えば以下のように変更することができる。
【００７１】
上記実施形態では、無線ＬＡＮアンテナとしてダイポールアンテナを用いたが、アンテナの種類は任意である。例えばモノポールアンテナはダイポールアンテナと同様の指向性を有するので、上記実施形態と同様の効果を発揮することができる。また、船舶５０の限られた範囲（例えばキャビンのみ）を通信範囲とすれば十分な場合は、指向性が狭いパッチアンテナ等を用いることもできる。
【００７２】
本発明は、船舶用のレーダアンテナに限られず、他の移動体（例えば、航空機、自動車等）に搭載される構成であっても良い。他の移動体も通常は前後方向に細長い形状であるので必要十分な通信範囲を実現できるという効果を発揮させることができる。また、灯台等に設置され、移動体の位置等を監視するレーダアンテナであっても良い。灯台等に設置されるレーダアンテナであっても、灯台の形状に応じて適切な指向性を有する無線ＬＡＮアンテナを用いることで、必要十分な通信範囲を実現できるという効果を発揮させることができる。
【００７３】
上記では、放射部２３が回転する構成であるが、例えば全周方向にアンテナ素子を有する場合又は前方等の特定の方向のみを探知する場合では、放射部を回転させなくても良い。
【符号の説明】
【００７４】
１  レーダアンテナ
１０  レーダドーム（ケース）
１１  下側ケース
１２  上側ケース
１３  取付孔（取付部）
１４  ケーブル導入孔
１５  位置決めマーク
１８  樹脂製ケース（ケース）
２１  駆動モータ
２２  回転軸
２３  放射部
２４  発振素子
２５  信号処理部
２６  無線ＬＡＮアンテナ
２７  電源ケーブル
３０  金属製ケース
３１  凹み部
３２  反射部
【図１】
2015145848.tif 000003
【図２】
2015145848.tif 000004
【図３】
2015145848.tif 000005
【図４】
2015145848.tif 000006
【図５】
2015145848.tif 000007
【図６】
2015145848.tif 000008
【図７】
2015145848.tif 000009